【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
コンピューターにより実行されてメディアコンテンツ項目の相対的有効性を判定する方法において、
計算装置にて、
複数のパネリストのそれぞれの特性を判定し、
判定された特性にしたがってパネリストの集団を定義し、
パネリストの複数のメディアコンテンツ項目への遭遇をモニターし、
パネリストにより実行された動作を表現するイベントであってパネリストに関連付けられたイベントの通知を受け取り、
前記イベントをメディアコンテンツ項目への遭遇と関連付けて、前記定義により定義されたパネリストの集団の少なくとも１つについてパネリストの挙動に影響を与えることについて、前記メディアコンテンツ項目の相対的有効性を判定する
ステップを実行し、
出力装置にて、前記定義されたパネリストの集団の少なくとも１つについてパネリストの挙動に影響を与えることについて、判定された前記メディアコンテンツ項目の相対的有効性を示す出力を生成する
ことを特徴とするメディアコンテンツ項目の相対的有効性判定方法。
【請求項２】
請求項１記載のメディアコンテンツ項目の相対的有効性判定方法において、イベントをメディアコンテンツ項目への遭遇と関連付けて、パネリストの挙動に影響を与えることについての前記メディアコンテンツ項目の相対的有効性を、パネリストに関連付けられたイベントの通知の受け取りに応答して即座に判定することを特徴とするメディアコンテンツ項目の相対的有効性判定方法。
【請求項３】
請求項１記載のメディアコンテンツ項目の相対的有効性判定方法において、
複数のメディアコンテンツ項目の少なくとも１つが少なくとも第１の通信機構を介して提示され、
前記動作の少なくとも１つが前記第１の通信機構とは別の少なくとも第２の通信機構を介して転送される通信を含む
ことを特徴とするメディアコンテンツ項目の相対的有効性判定方法。
【請求項４】
請求項１記載のメディアコンテンツ項目の相対的有効性判定方法において、
前記計算装置にて、少なくとも１つのメディアコンテンツに対する少なくとも１人のパネリストの少なくとも１つの付加的遭遇をモニタリングし、
前記計算装置にて、少なくとも１人のパネリストに関連付けされその１人のパネリストにより実行された動作を表現する付加的イベントのうち少なくとも１つについて、少なくとも１つの付加的通知を受け取り、
前記計算装置にて、少なくとも１つの付加的イベントを、少なくとも１つのメディアコンテンツへの前記少なくとも１つの付加的遭遇と関連付けて、前記定義されたパネリストの集団の少なくとも１つについてパネリストの挙動に影響を与えることについて、前記メディアコンテンツ項目の更新された相対的有効性を判定し、
前記出力装置にて、前記定義されたパネリストの集団の少なくとも１つについてパネリストの挙動に影響を与えることについて、前記メディアコンテンツ項目の前記更新された相対的有効性を示す出力を生成する
ことを特徴とするメディアコンテンツ項目の相対的有効性判定方法。
【請求項５】
請求項４記載のメディアコンテンツ項目の相対的有効性判定方法において、少なくとも１つの付加的イベントを少なくとも１つのメディアコンテツ項目への前記少なくとも１つの付加的遭遇に関連付けて、パネリストの挙動に影響を与えることについて前記メディアコンテンツ項目の更新された相対的有効性を判定することが、少なくともひとつのパネリストに関連付けられた少なくとも１つの付加的イベントの少なくとも１つの付加的通知の受け取りに応答して、実質的に即座に実行されることを特徴とするメディアコンテンツ項目の相対的有効性判定方法。
【請求項６】
請求項１記載のメディアコンテンツ項目の相対的有効性判定方法において、さらに、
計算装置にて、ユーザーの少なくとも１つの特性を判定し、
判定された少なくとも１つの特性に基づいて、前記ユーザーを前記定義された集団の少なくとも１つに関連付け、
前記ユーザーが関連付けられている前記定義された集団の少なくとも１つに対するメディアコンテンツ項目の前記判定された相対的有効性に基づいて、少なくとも１つのメディアコンテンツ項目を前記ユーザーへの提示用に選択し、
前記ユーザーへの提示用の少なくとも１つの選択されたメディアコンテンツ項目を送信する
ことを特徴とするメディアコンテンツ項目の相対的有効性判定方法。
【請求項７】
請求項６記載のメディアコンテンツ項目の相対的有効性判定方法において、ユーザーの少なくとも１つの特性の判定、前記ユーザーの少なくとも１つの前記定義された集団への関連付け、少なくとも１つのコンテンツ項目の前記ユーザーへの提示用への選択、および少なくとも１つの選択されたコンテンツ項目の送信が、前記ユーザーに提示されるコンテンツの要求の受信に応答して実行されることを特徴とするメディアコンテンツ項目の相対的有効性判定方法。
【請求項８】
請求項７記載のメディアコンテンツ項目の相対的有効性判定方法において、前記ユーザーに提示されるコンテンツの要求は、
ウェブページの要求と、
ウェブページに関連付けられた構成部の要求と、
ウェブページに接続されて表示される広告の要求と、
前記ユーザーに提示される音声映像コンテンツの要求と、
前記ユーザーに提示されるテレビコマーシャルの要求と、
からなる群から選択される少なくとも１つを含み、
前記ユーザーへの提示用の少なくとも１つの選択されたメディアコンテンツ項目は、
広告と、
割引の申し出と、
音声映像番組と、
歌と、
音声番組と、
ゲームと、
査定と、
賞金得点の説明と、
クーポンと、
招待と、
からなる群から選択される少なくとも１つを含む
ことを特徴とするメディアコンテンツ項目の相対的有効性判定方法。
【請求項９】
請求項６記載のメディアコンテンツ項目の相対的有効性判定方法において、
蓄積装置にて、パネリストの挙動に影響を与える前記メディアコンテンツ項目の相対的有効性の説明を蓄積し、
少なくとも１つのメディアコンテンツ項目の前記ユーザーへの提示用の選択では、
前記ユーザーの少なくとも１つの判定された特性を有するパネリストに対して、少なくとも１つの以前に蓄積されたパネリストの挙動に影響を与える少なくとも１つのメディアコンテンツ項目の前記相対的有効性の説明を検索し、
検索された少なくとも１つの相対的有効性の説明に基づいて少なくとも１つのコンテンツ項目を選択する
ことを特徴とするメディアコンテンツ項目の相対的有効性判定方法。
【請求項１０】
請求項６記載のメディアコンテンツ項目の相対的有効性判定方法において、
メディアコンテンツ項目はそれぞれ広告の別形を含み、
少なくとも１つのメディアコンテンツ項目の前記ユーザーへの提示用への選択では、広告からの複数の利用可能な別形の中から少なくとも１つの別形を選択し、
前記ユーザーへの提示用の少なくとも１つの選択されたメディアコンテンツ項目の送信では、少なくとも１つの選択された広告別形を前記ユーザーへの提示用に送信する
ことを特徴とするメディアコンテンツ項目の相対的有効性判定方法。
【請求項１１】
請求項１０記載のメディアコンテンツ項目の相対的有効性判定方法において、
ユーザーの少なくとも１つの特性の判定、前記ユーザーの少なくとも１つの前記定義された集団への関連付け、前記ユーザーへの提示用の少なくとも１つの広告別形の選択、および少なくとも１つの選択された広告別形の送信は、広告の要求の受け取りに応答して実行される
ことを特徴とするメディアコンテンツ項目の相対的有効性判定方法。
【請求項１２】
請求項６記載のメディアコンテンツ項目の相対的有効性判定方法において、
前記少なくともひとつの選択されたコンテンツ項目の送信では、
メディア源から少なくとも１つの標準メディアコンテンツ項目を取得し、
少なくとも１つの選択されたメディアコンテンツ項目を、少なくとも１つの取得された標準メディアコンテンツ項目に挿入し、
前記少なくとも１つの標準メディアコンテンツ項目を、前記少なくとも１つの選択されたメディアコンテンツ項目を含めて、前記ユーザーへの提示用に送信し、
少なくとも１つのメディアコンテンツ項目の前記ユーザーへの提示用への選択では、前記ユーザーが関連付けられている前記定義された集団の少なくとも１つに対するメディアコンテンツ項目の前記判定された相対的有効性に基づくと共に、前記ユーザーの少なくとも１つの特性に基づいて、少なくとも１つのコンテンツ項目を前記ユーザーへの提示用に選択する
ことを特徴とするメディアコンテンツ項目の相対的有効性判定方法。
【請求項１３】
請求項６記載のメディアコンテンツ項目の相対的有効性判定方法において、少なくとも１つのメディアコンテンツ項目の前記ユーザーへの提示用への選択では、少なくとも１つの既存メディアコンテンツ項目を、前記ユーザーが関連付けられている前記定義された集団の少なくとも１つに対するメディアコンテンツ項目の前記判定された相対的有効性に基づいて少なくとも既存のメディアコンテンツ項目を修正し、
前記ユーザーへの提示用の少なくとも１つの選択されたメディアコンテンツ項目の送信では、少なくとも１つの修正されたメディアコンテンツ項目を前記ユーザーへの提示用に送信する
ことを特徴とするメディアコンテンツ項目の相対的有効性判定方法。
【請求項１４】
請求項１記載のメディアコンテンツ項目の相対的有効性判定方法において、少なくとも１つの特性は、人口統計特性、地理的特性、以前の購入履歴に基づく特性、以前の行動に基づく特性、および好みに基づく特性からなる群から選択される少なくとも１つを含むことを特徴とするメディアコンテンツ項目の相対的有効性判定方法。
【請求項１５】
請求項１記載のメディアコンテンツ項目の相対的有効性判定方法において、パネリストにより実行された動作の少なくとも１つは、パネリストが遭遇した少なくとも１つのメディアコンテンツ項目に関連付けられた製品およびサービスの少なくとも１つの購入を含むことを特徴とするメディアコンテンツ項目の相対的有効性判定方法。
【請求項１６】
請求項１記載のメディアコンテンツ項目の相対的有効性判定方法において、パネリストにより実行された動作の少なくとも１つは、パネリストが遭遇した少なくとも１つのメディアコンテンツ項目に関連付けられた動作を含むことを特徴とするメディアコンテンツ項目の相対的有効性判定方法。
【請求項１７】
請求項１記載のメディアコンテンツ項目の相対的有効性判定方法において、パネリストの複数のメディアコンテンツ項目への遭遇のモニターでは、放送メディアを介して提示されるメディアコンテンツ項目への遭遇を検出することを特徴とするメディアコンテンツ項目の相対的有効性判定方法。
【請求項１８】
請求項１記載のメディアコンテンツ項目の相対的有効性判定方法において、パネリストの複数のメディアコンテンツ項目への遭遇のモニターでは、非放送メディアを介して提示されるメディアコンテンツ項目への遭遇を検出することを特徴とするメディアコンテンツ項目の相対的有効性判定方法。
【請求項１９】
請求項１記載のメディアコンテンツ項目の相対的有効性判定方法において、
パネリストの複数のメディアコンテンツ項目への遭遇のモニターでは、パネリストに関連付けされた可搬クライアント装置にて、パネリストのウェブサイト訪問をモニターしてパネリストの訪問した少なくとも１つのウェブページを識別すると共に、周囲音声をモニターし、計算装置において、モニターされた周囲音声に基づいて少なくとも１つの署名を生成し、生成された署名を少なくとも１つの参照署名と比較し、この比較に基づいて、少なくとも１つのメディアコンテンツ項目の周囲音声との対応を識別する
ことを特徴とするメディアコンテンツ項目の相対的有効性判定方法。
【請求項２０】
コンピューターにより実行されてメディアコンテンツ項目の相対的有効性を判定するシステムにおいて、
複数のパネリストの複数のメディアコンテンツ項目への遭遇をモニターし、パネリストにより実行された動作を表現するイベントであってパネリストに関連付けられたイベントの通知を受け取る少なくとも１つのパネリストモニタリング装置と、
それぞれのパネリストの特性を判定し、判定された特性にしたがってパネリストの集団を定義し、前記イベントをメディアコンテンツ項目への遭遇と関連付けて、前記定義により定義されたパネリストの集団の少なくとも１つについてパネリストの挙動に影響を与えることについて、前記メディアコンテンツ項目の相対的有効性を判定するプロセッサーと、
前記定義されたパネリストの集団の少なくとも１つについてパネリストの挙動に影響を与えることについて、判定された前記メディアコンテンツ項目の相対的有効性を示す出力を生成する出力装置にて
ことを特徴とするメディアコンテンツ項目の相対的有効性判定システム。
【請求項２１】
請求項２０記載のメディアコンテンツ項目の相対的有効性判定システムにおいて、前記プロセッサーは、イベントをメディアコンテンツ項目への遭遇と関連付けて、パネリストの挙動に影響を与えることについての前記メディアコンテンツ項目の相対的有効性を、パネリストに関連付けられたイベントの通知の受け取りに応答して即座に判定することを特徴とするメディアコンテンツ項目の相対的有効性判定システム。
【請求項２２】
請求項２０記載のメディアコンテンツ項目の相対的有効性判定システムにおいて、それぞれのメディアコンテンツ項目は広告を含むことを特徴とするメディアコンテンツ項目の相対的有効性判定システム。
【請求項２３】
請求項２０記載のメディアコンテンツ項目の相対的有効性判定システムにおいて、複数のメディアコンテンツ項目の少なくとも１つが少なくとも第１の通信機構を介して提示され、前記動作の少なくとも１つが前記第１の通信機構とは別の少なくとも第２の通信機構を介して転送される通信を含むことを特徴とするメディアコンテンツ項目の相対的有効性判定システム。
【請求項２４】
請求項２０記載のメディアコンテンツ項目の相対的有効性判定システムにおいて、
前記プロセッサーは、ユーザーの少なくとも１つの特性を判定し、判定された少なくともひとつの特性に基づいて、前記ユーザーを前記定義された集団の少なくとも１つに関連付け、前記ユーザーが関連付けられた前記定義された集団の少なくもと１つに対するメディアコンテンツ項目の相対的有効性の判定に基づいて、前記ユーザーに提示する少なくとも１つのメディアコンテンツ項目を選択し、
前記システムはさらに、少なくとも１つの選択されたメディアコンテンツ項目を前記ユーザーに送信する送信装置を備える
ことを特徴とするメディアコンテンツ項目の相対的有効性判定システム。